(57)【要約】【課題】傾きの調整にあたり表示像の位置ズレを抑えることが可能なヘッドアップディスプレイ装置を提供する。【解決手段】ヘッドアップディスプレイ装置において、ハウジング１に対して可動状態に配置され表示パネル１２を固定支持する可動支持体２０と、ハウジング１に対して固定状態に配置され可動支持体２０を回転可能に支持する固定支持体３０とを備え、可動支持体２０に固定支持体３０と嵌合する第１の嵌合部２４を設け、固定支持体３０に第１の嵌合部２４と嵌合する第２の嵌合部３４を設け、第１，第２の嵌合部２４，３４を通じて可動支持体２０と固定支持体３０とを、固定支持体３０に対して可動支持体２０が表示パネル１２の表示エリアＤＡ内の中心位置を回動中心ＲＣとして回動するように挿入嵌合してなる。【選択図】図２
2008185633.tif 000002
【特許請求の範囲】
【請求項１】
出射部が形成されたハウジングと、このハウジング内に収容される表示素子とを少なくとも含み、前記表示素子からの表示光を前記出射部を通じて所定の照射部材に照射して表示を行うヘッドアップディスプレイ装置であって、
前記ハウジングに対して可動状態に配置され前記表示素子を固定支持する可動支持体と、
前記ハウジングに対して固定状態に配置され前記可動支持体を回転可能に支持する固定支持体とを備え、
前記可動支持体に前記固定支持体と嵌合する第１の嵌合部を設け、
前記固定支持体に前記第１の嵌合部と嵌合する第２の嵌合部を設け、
前記第１，第２の嵌合部を通じて前記可動支持体と前記固定支持体とを、前記固定支持体に対して前記可動支持体が前記表示素子の表示エリア内の任意位置を回動中心として回動するように挿入嵌合してなることを特徴とするヘッドアップディスプレイ装置。
【請求項２】
前記固定支持体の前記可動支持体に面する側とは反対側に、前記表示素子を照明する照明手段を前記表示素子とは分離して設け、この照明手段を前記ハウジングに固定配置すると共に前記可動支持体と前記固定支持体のそれぞれに前記照明手段からの光を前記表示素子に向けて通過させる第１，第２の透過部を設けたことを特徴とする請求項１記載のヘッドアップディスプレイ装置。
【請求項３】
前記固定支持体に前記可動支持体の一部と当接して前記可動支持体の回動移動量を規制する回転規制手段を設けたことを特徴とする請求項１記載のヘッドアップディスプレイ装置。
【請求項４】
前記固定支持体に孔部を設け、前記可動支持体に前記孔部に対応すると共に前記可動支持体の回動方向に沿って延びる長孔を設け、この長孔と前記孔部との双方に、前記固定支持部材と前記可動支持部材との離間方向における移動量を規制する規制部材を挿通状態で設け、この規制部材が前記固定支持体と前記可動支持体とを反離間方向に付勢する付勢部材を含むことを特徴とする請求項１記載のヘッドアップディスプレイ装置。
【請求項５】
前記固定支持体と前記可動支持体の少なくとも一方をフッ素系合成樹脂材料で形成してなることを特徴とする請求項１記載のヘッドアップディスプレイ装置。
【請求項６】
前記可動支持体が所定のアクチュエータと結合され、このアクチュエータの作動に伴って前記可動支持体が前記固定支持体上で回動するように構成されることを特徴とする請求項１記載のヘッドアップディスプレイ装置。
【請求項７】
前記固定支持体に前記アクチュエータを支持する支持部を設けたことを特徴とする請求項６記載のヘッドアップディスプレイ装置。
【発明の詳細な説明】
【技術分野】
【０００１】
本発明は、車両に搭載され、表示素子からの表示光をフロントガラスや専用の照射部材に照射して表示を行うヘッドアップディスプレイ装置に関する。
【背景技術】
【０００２】
従来のヘッドアップディスプレイ装置として、例えば特許文献１記載のものが知られている。このヘッドアップディスプレイ装置は、出射部を有するハウジングと、このハウジング内に収容配置される表示素子と、同じくハウジング内に収容配置される反射部材とを有し、表示素子からの表示光を反射部材を通じて反射させ、この反射光をフロントガラスまたはコンバイナ等の照射部材に照射させるものである。
【０００３】
ハウジング内に収容配置される表示素子は、通常、ハウジングに対して固定配置されるが、車両への取り付け誤差、構成部品の組み付け誤差あるいはフロントガラスの面の傾きバラツキ等によって、照射部材に照射された表示像（表示光）が傾いた状態で表示されることがあり、このような問題に対処するものとして例えば特許文献２記載のヘッドアップディスプレイ装置が知られている。
【０００４】
このヘッドアップディスプレイ装置は、ハウジングとは別に表示器（表示素子）を支持する可動支持体を設け、この可動支持体をハウジング上において一点を基点として左右に回動可能に配置し、ビス等の調整部材によって可動支持体をハウジング上で左右に回動させることによって表示光（表示像）を回転させ、照射部材に対する表示光（表示像）の傾きを調整するものである。
【特許文献１】特開２００５−３３１６２４号公報
【特許文献２】特開２００５−３３１５３４号公報
【発明の開示】
【発明が解決しようとする課題】
【０００５】
しかしながら、前掲特許文献２記載のヘッドアップディスプレイ装置は、表示器を回転させる際の回動中心位置が表示光の照射範囲を規定する表示エリアの外側に設定されているため、表示器を左右方向に回動させた際、表示像の回転に伴って左右周囲方向への移動量も多くなり、傾きを調整すると表示像の位置が左右方向にズレてしまうという問題がある。
【０００６】
本発明は、この点に鑑みてなされたもので、その主な目的は、傾きの調整にあたり表示像の位置ズレを抑えることが可能なヘッドアップディスプレイ装置を提供するものである。
【課題を解決するための手段】
【０００７】
本発明は、前記目的を達成するため、出射部が形成されたハウジングと、このハウジング内に収容される表示素子とを少なくとも含み、表示素子からの表示光を前記出射部を通じて所定の照射部材に照射して表示を行うヘッドアップディスプレイ装置であって、前記ハウジングに対して可動状態に配置され前記表示素子を固定支持する可動支持体と、前記ハウジングに対して固定状態に配置され前記可動支持体を回転可能に支持する固定支持体とを備え、前記可動支持体に前記固定支持体と嵌合する第１の嵌合部を設け、前記固定支持体に前記第１の嵌合部と嵌合する第２の嵌合部を設け、前記第１，第２の嵌合部を通じて前記可動支持体と前記固定支持体とを、前記固定支持体に対して前記可動支持体が前記表示素子の表示エリア内の任意位置を回動中心として回動するように挿入嵌合してなることを特徴とする。
【０００８】
また本発明は、前記固定支持体の前記可動支持体に面する側とは反対側に、前記表示器を照明する照明手段を前記表示素子とは分離して設け、この照明手段を前記ハウジングに固定配置すると共に前記可動支持体と前記固定支持体のそれぞれに前記照明手段からの光を前記表示素子に向けて通過させる第１，第２の透過部を設けたことを特徴とする。
【０００９】
また本発明は、前記固定支持体に前記可動支持体の一部と当接して前記可動支持体の回動移動量を規制する回転規制手段を設けたことを特徴とする。
【００１０】
また本発明は、前記固定支持体に孔部を設け、前記可動支持体に前記孔部に対応すると共に前記可動支持体の回動方向に沿って延びる長孔を設け、この長孔と前記孔部との双方に、前記固定支持部材と前記可動支持部材との離間方向における移動量を規制する規制部材を挿通状態で設け、この規制部材が前記固定支持体と前記可動支持体とを反離間方向に付勢するテンショナー部材を含むことを特徴とする。
【００１１】
また本発明は、前記固定支持体と前記可動支持体の少なくとも一方をフッ素系合成樹脂材料で形成してなることを特徴とする。
【００１２】
また本発明は、前記可動支持体が所定のアクチュエータと結合され、このアクチュエータの作動に伴って前記可動支持体が前記固定支持体上で回動するように構成されることを特徴とする。
【００１３】
また本発明は、前記固定支持体に前記アクチュエータを支持する支持部を設けたことを特徴とする。
【発明の効果】
【００１４】
本発明によれば、初期の目的を達成でき、傾きの調整にあたり表示像の位置ズレを抑えることが可能なヘッドアップディスプレイ装置を提供することができる。
【発明を実施するための最良の形態】
【００１５】
図１から図８は、本発明の第１の実施形態を示すもので、図１は本発明を適用したヘッドアップディスプレイ装置の全体構成を示す概略図、図２は表示ユニットを図１における矢印X方向からみたときの正面図、図３は図２のＡ−Ａ断面図、図４は図２のＢ−Ｂ断面図、図５は図３における規制部材を拡大して示す拡大断面図、図６は表示ユニットを図１における矢印Ｙ方向からみたときの背面図、図７は図６において表示器及び可動支持体を取り除いたときの固定支持体の背面図、図８は図６において固定支持体及びアクチュエータユニットを取り除いたときの可動支持体の背面図である。
【００１６】
図１において、本実施形態によるヘッドアップディスプレイ装置は、例えば自動車に搭載されるもので、ハウジング１と、表示ユニット２と、バックライトユニット（照明手段）３と、第１の反射部材４と、第２の反射部材５とを備えており、表示ユニット２及びバックライトユニット３を通じて生成され、第１，第２の反射部材３，４を通じて反射される表示光（表示像）Ｌを車両のフロントガラス（所定の照射部材）６に照射して表示を行うもので、表示内容としては例えば各種車両情報やナビゲーション情報等があげられる。
【００１７】
ハウジング１は例えば黒色の合成樹脂からなり、表示ユニット２、バックライトユニット３、第１の反射部材４、第２の反射部材５を内部に収容する他、フロントガラス６に対向する側には、表示光Ｌをフロントガラス５に向けて出射させる出射部７が形成され、この出射部７は透光性カバー８にて覆われている。
【００１８】
表示ユニット２は、バックライトユニット３からの光を受けて前記の表示像（表示光）Ｌを形成するものであるが、その詳細は後述する。
【００１９】
バックライトユニット３ は、図３に詳しく示すように、光源基板３ａ上に間隔を空けて複数個配置された例えば発光ダイオードからなるは光源３ｂと、この光源３ｂからの光を入射して表示ユニット２に向けて放射するレンズ部材３ｃと、光源３ｂ、レンズ部材３ｃを収納する光源ケース３ｄとを備え、この場合、光源ケース３ｄは、光反射性の良好な乳白色の合成樹脂から形成されている。
【００２０】
第１の反射部材４は、例えば平面ミラーからなり、表示ユニット２からの表示光Ｌを第２の反射部材５に反射する。
【００２１】
第２の反射部材５は、例えば凹面ミラーからなり、第１の反射部材４を通じて反射した表示光Ｌを出射部７に向けて反射し、このように反射された表示光Ｌは、出射部７に設けられた透光性カバー８を透過してフロントガラス６上に照射され、虚像となって乗員Ｐに視認される。
【００２２】
次に図２〜図８に基づいて表示ユニット２を説明する。表示ユニット２は、表示器１０と、可動支持体２０と、固定支持体３０と、アクチュエータユニット４０と、規制部材５０とを有する。
【００２３】
表示器１０は、表示器ケース１１と、表示パネル（表示素子）１２と、パネルヒータ１３と、パッキン１４とを備え、可動支持体２０上に配置固定されている。
【００２４】
表示器ケース１１は、例えば黒色の合成樹脂からなり、その内部に表示パネル１２、パネルヒータ１３、パッキン１４を収容している。またこの表示器ケース１１には、表示パネル（表示素子）１２に対応した窓部１５が形成されている。
【００２５】
表示パネル１２は、この例では一対のガラス基板間に液晶分子を封入してなる表示パネルが適用されている。この表示パネル１２は、表示像を形成可能な光透過性の表示エリア（画素エリア）ＤＡと、この表示エリアの周囲を取り巻く遮光性の非表示エリアＮＤＡとを有し、この場合、表示エリアＤＡは、表示ケース１１の窓部１５よりも小さく形成されている。
【００２６】
パネルヒータ１３は、表示パネル１２の温度特性に配慮して採用させるもので、パッキン１４は表示器１０を可動支持体２０上に配置固定するにあたり、表示パネル１２と可動支持体２０との間に介在する緩衝材として採用されている。
【００２７】
可動支持体２０は、例えば黒色の合成樹脂からなり、表示器１０を移動不可能に支持している。この可動支持体２０は、所定の平面形状を有する板状に形成され、ギヤ部２１と、長孔２２と、第１の開口部（第１の透過部）２３と、第１の嵌合部２４と、当接部２５とを備えている。
【００２８】
ギヤ部２１は、可動支持体２０の外周部に部分形成され、アクチュエータユニット４０の後述するモータの出力ギヤに連結されるギヤ列からなる。
【００２９】
長孔２２は、規制部材５０を通じて可動支持体２０を固定支持体３０上に支持した際、固定支持体３０に対して可動支持体２０が回動移動可能となるように規制部材５０を挿通する長孔からなる。
【００３０】
第１の開口部２３は、可動支持体２０の表示パネル１２に対応する位置に形成され、バックライトユニット３からの光を表示パネル１２に向けて透過させる。
【００３１】
第１の嵌合部２４は、第１の開口部２３を挟むように固定支持体３０側に突出形成され、可動支持体２０を固定支持体３０に組み付けた際、固定支持体３０の後述する第２の嵌合部に挿入嵌合する一対の突出部からなり、各突出部の外周形状は、前記第２の嵌合部との嵌合状態で可動支持体３０が固定支持体３０に対して回動できるように円弧状に形成され、また第１の開口部２３に隣接する箇所は、第１の開口部２３に沿ったストレート形状に形成され、結果、一つの前記突出部は、図７において略「Ｄ」字形を呈すると共に、二つ合わせて可動支持体２０を回動させる際の軸部として機能する。
【００３２】
当接部２５は、第１の開口部２３を挟んで固定支持体３０側に突出形成される一対の突出片からなり、第１の嵌合部２４を前記第２の嵌合部に挿入嵌合して可動支持体２０を固定支持体３０に組み付けた際、後述する回転規制手段に挿入され、可動支持体２０が回動した際、前記回転規制手段の後述する対向壁に当接することにより、固定支持体３０に対する可動支持体３０の回動移動における許容量（回転移動量）を規制するものである。
【００３３】
固定支持体３０は、例えば金属板を所定形状にプレス抜き形成した採用され、可動支持体２０を回動移動可能に支持する第１の支持部３１と、アクチュエータユニット４０を固定支持する第２の支持部３２とを連続して有している。
【００３４】
第１の支持部３１は、略平板状に形成され、第２の開口部（第２の透過部）３３と、第２の嵌合部３４と、回動規制手段３５と、孔部３５とを有している。
【００３５】
第２の開口部（第２の透過部）３３は、可動支持体２０の第１の開口部２３に対応する箇所に形成され、バックライトユニット３からの光を表示パネル１２に向けて透過させる。
【００３６】
第２の嵌合部３４は、可動支持体２０の第１の嵌合部２４を挿入嵌合可能な切り欠き部分として、第２の開口部３３に連続するように形成され、その内周形状は第１の嵌合部２４の外周形状に対応する円弧状であり、可動支持体２０と固定支持体３０との組み付け状態において、固定支持体３０に対して可動支持体２０を回動させる際、第１の嵌合部２４を軸支するように摺動保持する。
【００３７】
回動規制手段３５は、可動支持体２０の各当接部２５に対応する切り欠き部分として、第２の開口部３３に連続するように形成され、可動支持体２０と固定支持体３０との組み付け状態において、それぞれが当接部２５を挿通すると共に可動支持体２０が回転した際、当接部２５と当接して可動支持体２０の時計方向（ＣＷ）及び反時計方向（ＣＣＷ）方向への回転移動量を規制する一対の対向壁３６を有している。
【００３８】
孔部３５は、規制部材５０を挿通させる孔であり、規制部材５０の挿通状態で規制部材５０が放射方向に移動しない大きさに形成されている。
【００３９】
第２の支持部３２は、互いに間隔を有して平行に延びるアーム片からなり、これらアーム片の間にアクチュエータユニット４０を不動状態に支持固定している。
【００４０】
アクチュエータユニット４０は、例えばステッピングモータ（アクチュエータ）４１と、このステッピングモータ４１を不動状態に固定支持するモータケース４２とからなり、モータケース４２を通じて固定支持体３０の第２の支持部３２にステッピングモータ４１を支持固定することで、ステッピングモータ４１の出力ギヤ４３が可動支持体２０のギヤ部２１に連結されるようになっている。
【００４１】
規制部材５０は、ピン部材５１と、第１，第２のスペーサ５２，５３と、付勢部材５４と、Ｅリング５５とから構成されている。
【００４２】
ピン部材５１は、可動支持体２０、固定支持体３０、第１，第２のスペーサ５２，５３、付勢部材５４、Ｅリング５５の全てを挿通する軸部５６と、可動支持体２０上に位置する円板形状のフランジ部５７とを有する金属部材からなる。
【００４３】
第１のスペーサ５２は、可動支持体２０と固定支持体３０との間に位置しピン部材５１の軸部５６に挿通される金属製の環状平ワッシャーからなり、その孔径はピン部材５１への挿入状態で軸部５６の軸方向に移動可能な大きさに形成されている。
【００４４】
第２のスペーサ５３は、固定支持体３０と付勢部材５４との間に位置しピン部材５１の軸部５６に挿通される金属製の環状平ワッシャーからなり、その孔径は第１のスペーサ５２同様、ピン部材５１への挿入状態で軸部５６の軸方向に移動可能な大きさに形成されている。
【００４５】
付勢部材５４は、第２のスペーサ５３とＥリング５５との間に位置しピン部材５１の軸部５６に挿通される金属製のコイルスプリングからなり、第２のスペーサ５３、固定支持体３０、第２のスペーサ５２、可動支持体２０をピン部材５１のフランジ部５７側に押圧付勢する。
【００４６】
Ｅリング５５は、ピン部材５１の軸部５６端部に固定され、付勢部材５４の脱落を防止している。
【００４７】
このように構成される規制部材５０は、可動支持体２０と固定支持体３０とが回動スラスト方向（固定支持体３０に対して可動支持体２０を回動させた際のスラスト方向）に分離（離間）しないようにフランジ部５７と第２のスペーサ５３との間に可動支持体２０と固定支持体３０とを挟んで前記回動スラスト方向における離間方向移動を規制するものであるが、前述のように第１，第２のスペーサ５２，５３の孔径は、ピン部材５１の軸部５６に対して軸方向移動可能な大きさに設定されると共に、長孔２２の長手方向とは直交する方向の幅径及び孔部３７の孔径も軸部５６に対して移動可能な大きさに設定されている。なお長孔２２の長手方向の幅径は、可動支持体２０の回動移動を考慮した大きさに設定されている。
【００４８】
このため、ピン部材５１は、長孔２２、第１のスペーサ５２、孔部３７、第２のスペーサ５３に挿通しただけの状態では、軸部５６の軸方向に移動可能となるが、軸部５６に付勢部材５４を挿通し且つ付勢部材５４を圧縮した状態で軸部５６の端部にＥリング５５を装着固定すると、付勢部材５４の反発力により、フランジ部５７と第２のスペーサ５３との間で可動支持体２０と固定支持体３０とが第１のスペーサ５２を挟んでフランジ部５７側へ常時押圧された状態となり、これにより振動に伴うがたつきを防止しながら可動支持体２０の回動を可能としている。なお付勢部材５４の反発力、規制部材５０の寸法、長孔２２、孔部３７の寸法設定は、がたつきを防止しながら可動支持体２０の回動が可能となればよく、ステッピングモータ４１の駆動トルクやギヤ比、部品重量等を考慮して設定すればよい。
【００４９】
次に表示ユニット２の組み付け例について説明する。
まず表示器１０を図示省略した固定手段を介して可動支持体２０に対し不動状態となるように固定する。
次に可動支持体２０の第１の嵌合部２４及び当接部２５を前記回動スラスト方向に沿って固定支持体３０の第２の嵌合部３４及び回動規制手段３５に挿入、嵌合させた後、規制手段５０を通じて可動支持体２０と固定支持体３０とを前記回動スラスト方向（反離間方向）に位置規制することで、表示器１０を固定した可動支持体２０が固定支持体３０の第１の支持部３１上に回転可能に組み付けられる。
【００５０】
規制手段５０の組み付けは、可動支持体２０と固定支持体３０との間に第１のスペーサ５２を介在させて、長孔２２と第１のスペーサ５２の挿通孔と孔部３７とを位置合わせし、図５中、上方向からピン部材５１の軸部５６を長孔２２、第１のスペーサ５２の挿通孔、孔部３７に挿入し、その後、図５中、下側から軸部５６に第２のスペーサ５３と付勢部材５４を挿通させ、最後にＥリング５５を図５中、下側から軸部５６に挿通させて付勢部材５４を圧縮させた状態で固定し、完了となる。
【００５１】
次にアクチュエータユニット４０を固定支持体３０の第２の支持体３２に取り付け固定し、ステッピングモータ４１の出力ギヤ４３と可動支持体２０のギヤ部２１とを連結する。
【００５２】
最後に、表示器１０と可動支持体２０とアクチュエータユニット４０とを搭載した固定支持体３０をバックライトユニット３上に位置合わせしてハウジング１に取り付け固定する
【００５３】
これにより、バックライトユニット３により生成された光は、固定支持体３０及び可動支持体２０の各開口部３３，２３を通じて表示パネル１２を背後から照らし、表示光（表示像）Ｌを形成する。
【００５４】
またステッピングモータ４１を作動させると、その回転が出力ギヤ４３とギヤ部２１を通じて可動支持体２０に伝達され、可動支持体２０に搭載した表示器１０が時計方向（ＣＷ）及び反時計方向（ＣＣＷ）方向に回転し（図２参照）、これにより表示光（表示像）を左右に回動させることができ、照射部材に対する表示光（表示像）の傾きを調整することが可能となる。
【００５５】
ここで、可動支持体２０と固定支持体３０とは各嵌合部２４，３４を通じた嵌合状態において、固定支持体３０に対して可動支持体２０が表示パネル１２の表示エリアＤＡ内の中心位置を回動中心ＲＣとして回動するように構成されており、これにより表示エリアＤＡ（表示像Ｌ）はその中心位置を基準に回動することになる。
【００５６】
以上のように本実施形態では、出射部７が形成されたハウジング１と、このハウジング１内に収容される表示パネル（表示素子）１とを少なくとも含み、表示パネル１からの表示光（表示像）Ｌを出射部７を通じてフロントガラス（所定の照射部材）６に照射して表示を行うヘッドアップディスプレイ装置であって、ハウジング１に対して可動状態に配置され表示パネル１２を固定支持する可動支持体２０と、ハウジング１に対して固定状態に配置され可動支持体２０を回転可能に支持する固定支持体３０とを備え、可動支持体２０に固定支持体３０と嵌合する第１の嵌合部２４を設け、固定支持体３０に第１の嵌合部２４と嵌合する第２の嵌合部３４を設け、第１，第２の嵌合部２４，３４を通じて可動支持体２０と固定支持体３０とを、固定支持体３０に対して可動支持体２０が表示パネル１２の表示エリアＤＡ内の中心位置を回動中心ＲＣとして回動するように挿入嵌合してなることにより、表示像Ｌの照射部材６上における傾きの調整にあたり表示像Ｌの位置ズレを抑えることができる。
すなわち、表示パネル１２の表示エリアＤＡがその中心位置を基点として回動するため、表示光（表示像）の平面移動を抑えることができ、これにより表示像Ｌの位置ズレを抑えることができる。また表示エリアＤＡが中心位置を基点として回動するため、表示像Ｌの傾きを調整するための回動調整機構の大型化を避けて小型化を達成することができる。
【００５７】
なお本実施形態では、可動支持体２０の回動中心ＲＣを表示パネル１２の表示エリアＤＡ内の中心位置に設定したが、回動中心ＲＣは表示エリアＤＡ内の中心位置と厳密に一致させる必要はなく、前記回転スラスト方向から見たとき、表示エリアＤＡの領域内に回動中心ＲＣが位置していればよいものであるが、表示光（表示像）の平面移動を考慮したとき、回動中心ＲＣは可能な限り表示エリアＤＡ内の中心位置に近づけることが望ましい。
【００５８】
また本実施形態では、表示器ケース１１を通じて可動支持体２０上に表示パネル１２を支持する例を示したが、表示器ケース１１と可動支持体２０とを兼用化し、専用の表示器ケース１１または可動支持体２０を廃止してもよい。
【００５９】
また本実施形態では、固定支持体３０の可動支持体２０に面する側とは反対側に、表示パネル１２を照明するバックライトユニット（照明手段）３を表示パネル１２とは分離して設け、このバックライトユニット３をハウジング１に固定配置すると共に可動支持体２０と固定支持体３０のそれぞれにバックライトユニット３からの光を表示パネル１２に向けて通過させる第１，第２の開口部（透過部）２３，３３を設けたことにより、バックライトユニット３を表示パネル１２と共に回動対象部品とすることなく、ハウジング１に固定配置できるため、可動対象部品を軽量化してステッピングモータ４１の負荷を軽減することができる。
【００６０】
また本実施形態では、固定支持体３０に可動支持体２０の当接部２５と当接して可動支持体２０の回動移動量を規制する回転規制手段３５を設けたことにより、可動支持体２０の回動移動量を確実に規制し、過回動に伴う不都合を回避することができる。特に本実施形態では、当接部２５及び回転規制手段３５を、第１，第２の嵌合部２４，３４の近傍に設定したことにより、各嵌合部２４，３４に近い位置で回動規制を行うことができるため、回動規制を容易に行うことができる。
【００６１】
また本実施形態では、固定支持体３０に丸孔からなる孔部３７を設け、可動支持体２０に孔部３７に対応すると共に可動支持体２０の回動方向に沿って延びる長孔２２を設け、この長孔２２と孔部３７との双方に、固定支持部材３０と可動支持部材２０との離間方向における移動量を規制する規制部材５０を挿通状態で設け、この規制部材５０が固定支持体３０と可動支持体２０とを反離間方向に付勢する付勢部材５４を含むことにより、可動支持部２０を回動させる場合でも、がたつきを抑えることができる。
【００６２】
また本実施形態では、固定支持体３０を合成樹脂にて、可動支持体２０を金属材料にてそれぞれ形成したが、少なくとも一方をフッ素系合成樹脂材料で形成してもよく、このようにすることで、可動支持体２０を回動させた際の摺動トルクを小さく安定させることができる。
【００６３】
また本実施形態では、可動支持体２０が所定のステッピングモータ４１と結合され、このステッピングモータ４１の作動に伴って可動支持体２０が固定支持体３０上で回動するように構成されることにより、ステッピングモータ４１を通じて可動支持体２０を回動させて表示像Ｌの位置を調整できるため、利便性を向上させることができる。
【００６４】
また本実施形態では、固定支持体３０にステッピングモータ４１を支持する第２の支持部３２（支持部）を設けたことにより、固定支持体３０によってステッピングモータ４１と可動支持体２０の双方を支持できるため、ステッピングモータ４１を適正位置に安定的に配置するのが容易となり、これにより、出力ギヤ４３とギヤ部２１との適正な連結状態を確保、維持するのが容易となる。
【００６５】
図９は本発明の第２の実施形態を示す断面図であり、前記第１の実施形態では、可動支持体２０側となる第１の嵌合部２４を突出形状とし、固定支持体３０側となる第２の嵌合３４を孔形状に設定したが、本実施形態では、可動支持体２０側となる第１の嵌合部２４を孔形状とし、固定支持体３０側となる第２の嵌合３４を突出形状に設定したもので、本実施形態によっても前記第１の実施形態と同様の効果を期待できる。
【００６６】
図１０は本発明の第３の実施形態を示す断面図であり、本実施形態では第１，第２の嵌合部２４，４３の双方を突出形状とし、互いに挿入嵌合したもので、当該実施形態によっても前記第１，第２の実施形態と同様の効果を期待できる。
【００６７】
図１１は本発明の第４の実施形態を示す断面図であり、本実施形態では、表示器１０とバックライトユニット３とを積層状態で可動支持体２０上に固定支持すると共に、バックライトユニット３側とは反対側となる可動支持体２０の面から軸状の第１の嵌合部２４を突出形成し、この第１の嵌合部２４に対応する固定支持体３０には、第１の嵌合部２４を挿入嵌合してこれを軸受け保持する第２の嵌合部３４を設けたもので、本実施形態においても可動支持体２０の回動中心ＲＣは、表示エリアＤＡの中心に位置するように設定している。
【００６８】
以上のごとく形成される本実施形態においても表示像Ｌの位置ズレを抑えることができると共に回動調整機構の小型化を達成することができる。
【図面の簡単な説明】
【００６９】
【図１】本発明の第１の実施形態に係るヘッドアップディスプレイ装置の全体構成を示す概略図。
【図２】同実施形態に係る表示ユニットを図１における矢印X方向からみたときの正面図。
【図３】図２のＡ−Ａ断面図。
【図４】図２のＢ−Ｂ断面図。
【図５】図３における規制部材を拡大して示す拡大断面図。
【図６】同実施形態に係る表示ユニットを図１における矢印Ｙ方向からみたときの背面図。
【図７】図６において表示器及び可動支持体を取り除いたときの固定支持体の背面図。
【図８】図６において固定支持体及びアクチュエータユニットを取り除いたときの可動支持体の背面図。
【図９】本発明の第２の実施形態を示す断面図。
【図１０】本発明の第３の実施形態を示す断面図。
【図１１】本発明の第４の実施形態を示す断面図。
【符号の説明】
【００７０】
１  ハウジング
２  表示ユニット
３  バックライトユニット（照明手段）
３ａ  光源基板
３ｂ  光源
３ｃ  レンズ部材
３ｄ  光源ケース
４  第１の反射部材
５  第２の反射部材
６  フロントガラス（所定の照射部材）
７  出射部
８  透光性カバー
１０  表示器
１１  表示器ケース
１２  表示パネル（表示素子）
１３  パネルヒータ
１４  パッキン
１５  窓部
２０  可動支持体
２１  ギヤ部
２２  長孔
２３  第１の開口部（第１の透過部）
２４  第１の嵌合部
２５  当接部
３０  固定支持体
３１  第１の支持部
３２  第２の支持部（支持部）
３３  第２の開口部（第２の透過部）
３４  第２の嵌合部
３５  回動規制手段
３６  対向壁
３７  孔部
４０  アクチュエータユニット
４１  ステッピングモータ（アクチュエータ）
４２  モータケース
４３  出力ギヤ
５０  規制部材
５１  ピン部材
５２，５３  第１，第２のスペーサ
５４  付勢部材
５５  Ｅリング
５６  軸部
５７  フランジ部
ＤＡ  表示エリア（画素エリア）
Ｌ  表示光（表示像）
ＮＤＡ  非表示エリア
Ｐ  乗員
ＲＣ  回動中心
【図１】
2008185633.tif 000003
【図２】
2008185633.tif 000004
【図３】
2008185633.tif 000005
【図４】
2008185633.tif 000006
【図５】
2008185633.tif 000007
【図６】
2008185633.tif 000008
【図７】
2008185633.tif 000009
【図８】
2008185633.tif 000010
【図９】
2008185633.tif 000011
【図１０】
2008185633.tif 000012
【図１１】
2008185633.tif 000013